(57)【要約】【課題】トレッドを変更する際に、機体の走行移動による収穫作業の中断を要することのないトレッド調節によって収穫作業を続行することができる作物収穫機を提供する。【解決手段】作物収穫機は、畝（Ｕ）を跨いで圃場走行可能に機体を支持する左右の走行支持輪（２ａ，２ｂ）と、これら左右の走行支持輪（２ａ，２ｂ）の支持幅を変更するトレッド調節装置（３）と、機体先端に配置した引起装置（５）と、上記走行支持輪（２ａ，２ｂ）の左右間に配置した引抜搬送装置（６）と、機体後部に配置した操縦部（７）とを備えて構成され、上記機体を高位に保持するように接地支持可能なスタンド（８）と、このスタンド（８）を車幅方向の軸線について回動可能に軸支するスタンド支軸（８ａ）とを設けることにより、機体移動なしに簡易な回動操作によってトレッド調節を可能とするものである。【選択図】図１
2013226110.tif 000002
【特許請求の範囲】
【請求項１】
畝（Ｕ）を跨いで圃場走行可能に機体を支持する左右の走行支持輪（２ａ，２ｂ）と、これら左右の走行支持輪（２ａ，２ｂ）の支持幅を変更するトレッド調節装置（３）と、機体先端に配置した引起装置（５）と、上記走行支持輪（２ａ，２ｂ）の左右間に配置した引抜搬送装置（６）と、機体後部に配置した操縦部（７）とを備える作物収穫機において、
上記機体を高位に保持するように接地支持可能なスタンド（８）と、このスタンド（８）を車幅方向の軸線について回動可能に軸支するスタンド支軸（８ａ）とを設けたことを特徴とする作物収穫機。
【請求項２】
前記スタンド（８）の接地端には、その前側に円弧状接地部（８ｂ）を回動軌跡に沿って形成し、かつ、後側に上記円弧状接地部（８ｂ）の接地幅より大きい拡幅接地部（８ｃ）を形成するとともに、ペダル状の接地操作部（８ｄ）を設けたことを特徴とする請求項１記載の作物収穫機。
【請求項３】
前記スタンド（８）は、接地角度位置と非接地角度位置との間を可動範囲とする支点越えスプリング（８ｅ）によって両角度位置に切替え保持する弾性保持機構を備えたことを特徴とする請求項１または請求項２に記載の作物収穫機。
【請求項４】
前記スタンド（８）の回動を検出するためのスタンド角度検出部と、このスタンド角度検出部により前記スタンド（８）が接地角度位置にあることを条件にエンジンを停止するスタンド連係部を設けたことを特徴とする請求項１から請求項３のいずれかに記載の作物収穫機。
【請求項５】
前記スタンド（８）の回動を検出するためのスタンド角度検出部と、このスタンド角度検出部により前記スタンド（８）が接地角度位置にあることを条件に左右の走行支持輪（２ａ，２ｂ）に対する伝動を断接する走行用クラッチを切側に切替えるスタンド連係部を設けたことを特徴とする請求項１から請求項３のいずれかに記載の作物収穫機。
【請求項６】
前記左右の走行支持輪（２ａ，２ｂ）は、その片側をトレッド調節装置（３）によって移動可能に構成し、この走行支持輪（２ａ，２ｂ）の側に寄せて前記スタンド（８）を配置したことを特徴とする請求項１から請求項５のいずれかに記載の作物収穫機。
【請求項７】
前記引抜搬送装置（６）から作物を引き継いでその茎葉部を切除するタッピング装置（１１）を設け、このタッピング装置（１１）の側方に前記操縦部（７）を配置するとともに、上記タッピング装置（１１）の排出端を前記走行支持輪（２ａ，２ｂ）の後端より後方位置に形成したことを特徴とする請求項１から請求項６のいずれかに記載の作物収穫機。
【発明の詳細な説明】
【技術分野】
【０００１】
本発明は、トレッド調節装置を備えてタマネギ等の根菜作物を収穫走行する作物収穫機に関するものである。
【背景技術】
【０００２】
左右の走行支持輪により畝を跨いでタマネギ等の根菜作物を収穫走行する際に、畝の端が崩れていたり、畝の幅が途中で変化している圃場状況にあっては、崩れ落ちた土を片側の車輪で踏みながら、または畝の端に乗り上げて作業せざるをえず、結果として機体の左右傾斜により作物の引き抜き損ないを生じ、残留した作物を後から作業者が個別に引き抜かねばならなくなり、そのための作業負荷の増加とともに、収穫作業計画の狂いの原因となる。
【０００３】
この問題を解決するために、技術文献１記載の発明では、左右の走行支持輪のトレッドを調節することができる歩行型のたまねぎ収穫機が開示されている。このたまねぎ収穫機は、左右の走行支持輪の片側を車幅方向に移動させることができるトレッド調節装置を備え、トレッドを畝の幅に合わせることにより、畝に追従しつつ安定した姿勢でタマネギ等の作物の引き抜き収穫作業を行うことができる。
【先行技術文献】
【特許文献】
【０００４】
【特許文献１】特開２００２−１２５４２７号公報
【発明の概要】
【発明が解決しようとする課題】
【０００５】
しかしながら、左右の走行支持輪は圃場に接地して機体を支持しているので、トレッド調節装置を作動させるときは、接地抵抗を抑えるために、機体を移動させながら作動させる必要がある。このため、トレッド調節を行うときは、作物の引き抜き収穫作業を中断し、機体を走行移動させつつ徐々にトレッドを変更せねばならず、作業能率が低下する問題がある。特に、雨や作物の成長によって多数箇所に崩れが生じているときは、その都度トレッド調節作業を行わねばならず、作業能率がさらに低下する問題がある。
【０００６】
本発明の目的は、トレッドを変更する際に、機体の走行移動による収穫作業の中断を要することのないトレッド調節によって収穫作業を続行することができる作物収穫機を提供することにある。
【課題を解決するための手段】
【０００７】
請求項１に係る発明は、畝（Ｕ）を跨いで圃場走行可能に機体を支持する左右の走行支持輪（２ａ，２ｂ）と、これら左右の走行支持輪（２ａ，２ｂ）の支持幅を変更するトレッド調節装置（３）と、機体先端に配置した引起装置（５）と、上記走行支持輪（２ａ，２ｂ）の左右間に配置した引抜搬送装置（６）と、機体後部に配置した操縦部（７）とを備える作物収穫機において、上記機体を高位に保持するように接地支持可能なスタンド（８）と、このスタンド（８）を車幅方向の軸線について回動可能に軸支するスタンド支軸（８ａ）とを設けたことを特徴とする。
【０００８】
請求項２に係る発明は、請求項１に係る発明において、前記スタンド（８）の接地端には、その前側に円弧状接地部（８ｂ）を回動軌跡に沿って形成し、かつ、後側に上記円弧状接地部（８ｂ）の接地幅より大きい拡幅接地部（８ｃ）を形成するとともに、ペダル状の接地操作部（８ｄ）を設けたことを特徴とする。
【０００９】
請求項３に係る発明は、請求項１または請求項２に係る発明において、前記スタンド（８）は、接地角度位置と非接地角度位置との間を可動範囲とする支点越えスプリング（８ｅ）によって両角度位置に切替え保持する弾性保持機構を備えたことを特徴とする。
【００１０】
請求項４に係る発明は、請求項１から請求項３のいずれかに係る発明において、前記スタンド（８）の回動を検出するためのスタンド角度検出部と、このスタンド角度検出部により前記スタンド（８）が接地角度位置にあることを条件にエンジンを停止するスタンド連係部を設けたことを特徴とする。
【００１１】
請求項５に係る発明は、請求項１から請求項３のいずれかに係る発明において、前記スタンド（８）の回動を検出するためのスタンド角度検出部と、このスタンド角度検出部により前記スタンド（８）が接地角度位置にあることを条件に左右の走行支持輪（２ａ，２ｂ）に対する伝動を断接する走行用クラッチを切側に切替えるスタンド連係部を設けたことを特徴とする。
【００１２】
請求項６に係る発明は、請求項１から請求項５のいずれかに係る発明において、前記左右の走行支持輪（２ａ，２ｂ）は、その片側をトレッド調節装置（３）によって移動可能に構成し、この走行支持輪（２ａ，２ｂ）の側に寄せて前記スタンド（８）を配置したことを特徴とする。
【００１３】
請求項７に係る発明は、請求項１から請求項６のいずれかに係る発明において、前記引抜搬送装置（６）から作物を引き継いでその茎葉部を切除するタッピング装置（１１）を設け、このタッピング装置（１１）の側方に前記操縦部（７）を配置するとともに、上記タッピング装置（１１）の排出端を前記走行支持輪（２ａ，２ｂ）の後端より後方位置に形成したことを特徴とする。
【発明の効果】
【００１４】
請求項１に係る発明により、機体が高位に保持される角度位置までスタンド（８）を回動すると、トレッド調節装置（３）による走行支持輪（２ａ，２ｂ）の移動調節が接地負荷なしに操作可能となるので、その場においてトレッド調節が可能となり、また、スタンド（８）を解除角度位置まで回動することにより機体の高位保持が解除されて走行支持輪（２ａ，２ｂ）が接地し、調節幅による収穫走行が可能となる。
したがって、畝の崩れや畝幅変動に応じて、スタンドを回動する簡易な操作により、機体の走行移動による収穫作業の中断を要することのないトレッド調節によって収穫作業を続行することができる。
【００１５】
請求項２に係る発明により、請求項１に係る発明の効果に加え、作業者がペダル状の接地操作部（８ｄ）を介してスタンド（８）を接地操作することにより、スタンド（８）の回動によって機体を容易に高位保持してトレッド調節のための準備ができるので、作業能率が向上する。
また、スタンド（８）の接地部のうち、前側に円弧状接地部（８ｂ）を形成したことから、圃場面にスタンド（８）が接触する際の抵抗を小さくすることができるので、後側の接地操作部（８ｄ）と合わせてスタンド（８）の接地操作が容易に行えるとともに、接地幅が大きい後側の拡幅接地部（８ｃ）によって広い接地面が確保されるので、スタンド（８）が土中に沈みにくくなり、確実に走行支持輪（２ａ，２ｂ）を浮かせて安定してトレッド調節が行え、作業能率が向上する。
【００１６】
請求項３に係る発明により、請求項１または請求項２に係る発明の効果に加え、スタンド（８）は、支点越えスプリング（８ｅ）により接地角度位置と非接地角度位置に択一的に弾性保持されることから、走行中におけるスタンド（８）の不安定な回動を防止できるので、作業者はスタンド（８）との接触を気にすることなく作業することができ、作業能率や操作性が向上する。
また、スタンド（８）を接地側に回動すると接地角度位置で安定して保持され、この状態で機体を前進させるとスタンド（８）が戻されて非接地角度位置に回動保持され、このように、機体の前後進操作に伴ってスタンド（８）の接地及び非接地の状態が切り替えられることから、作業者が誤ってスタンド（８）に触れて接地状態または非接地状態が解除されることが防止されるので、トレッド調節中は非接地の走行支持輪（２ａ，２ｂ）が接地することがなく、トレッド調節装置（３）の破損や停止が防止されると共に、トレッド調節作業の能率が向上する。
【００１７】
請求項４に係る発明により、請求項１から請求項３のいずれかに係る発明の効果に加え、スタンド連係部により、スタンド（８）を接地角度位置に回動すると自動的にエンジンが停止することから、機体の前進に伴うスタンド（８）の接地解除を防止できるので、確実にトレッド調節が行えるため、作業能率が向上する。
【００１８】
請求項５に係る発明により、請求項１から請求項３のいずれかに係る発明の効果に加え、スタンド連係部により、スタンド（８）を接地角度位置に回動すると自動的に走行用クラッチが切側に切替えられることから、機体の前進に伴うスタンド（８）の接地解除を防止できるので、確実にトレッド調節が行えるため、作業能率が向上する。
また、機体を前進させてスタンド（８）を非接地角度位置に回動すると、走行用クラッチについての特段の操作を要することなく走行用クラッチが切替えられて自動的に左右の走行支持輪（２ａ，２ｂ）に駆動力が供給されることから、作業能率や機体の操作性を向上することができる。
【００１９】
請求項６に係る発明により、請求項１から請求項５のいずれかに係る発明の効果に加え、トレッド調節装置（３）によって移動される走行支持輪（２ａ，２ｂ）の側に寄せてスタンド（８）を設けたことから、スタンド（８）の回動操作によってその側の走行支持輪（２ａ，２ｂ）を浮かせやすくなるので、トレッド調節作業が容易になり、作業能率が向上する。
【００２０】
請求項７に係る発明により、請求項１から請求項６のいずれかに係る発明の効果に加え、操縦部（７）をタッピング装置（１１）の側方に配置し、このタッピング装置（１１）の排出端を左右の走行支持輪（２ａ，２ｂ）よりも後方位置に形成したことから、茎葉部が走行支持輪（２ａ，２ｂ）より後方位置に排出されて走行支持輪（２ａ，２ｂ）に対する茎葉部の絡み付きが抑えられるので、絡み付いた茎葉部の除去作業等の走行支持輪（２ａ，２ｂ）のメンテナンス負荷を緩和することができる。
【図面の簡単な説明】
【００２１】
【図１】作物収穫機の構成例を示す平面図（ａ）および側面図（ｂ）
【図２】スタンドと畝との関係を表した作物収穫機の正面図
【図３】別例の作物収穫機に適用した平面図（ａ）および側面図（ｂ）
【図４】別構成例のスタンドの側面図（ａ）および背面図（ｂ）
【図５】ステップ兼用のスタンドを設けた作物収穫機の平面図（ａ）および側面図（ｂ）
【図６】マルチ集束装置の要部斜視図
【図７】ローラ構成の斜視図（ａ）および排出駆動ローラの伝動構成図（ｂ）
【図８】作物収穫機の部分破断による要部平面図（ａ）および要部側面図（ｂ）
【図９】作物収穫機の要部正面図
【発明を実施するための形態】
【００２２】
上記技術思想に基づいて具体的に構成された実施の形態について以下に図面を参照しつつ説明する。なお、以下の説明における機体の左側と右側の表記は、機体の前進方向を基準とする。
本発明の適用例である作物収穫機１は、図１にその平面図（ａ）および側面図（ｂ）を示すように、畝Ｕを跨いで圃場走行可能に機体を支持する左右の走行支持輪２ａ，２ｂと、これら左右の走行支持輪２ａ，２ｂの支持幅を変更するトレッド調節装置３とにより走行系を構成し、ゲージ輪４によって支持した機体の先端に配置した引起装置５と、走行支持輪２ａ，２ｂの左右間に配置した引抜搬送装置６等により収穫作業系を構成し、これら走行系と収穫作業系を操作するための操縦部７を機体後部に配置して２条幅のタマネギ等の根菜作物を収穫走行可能に構成され、さらに、操縦部７には、原動機と一体構成で変速伝動する駆動装置７ａのフレームにスタンド８を軸支し、その接地操作によって機体を高位支持可能に構成したものである。
【００２３】
詳細に説明すると、左右の走行支持輪２ａ，２ｂは、操縦部７の駆動装置７ａから左右の伝動支持部２ｃ，２ｃを介してエンジン動力を受けつつ機体を支持する駆動車輪によって構成され、駆動装置７ａに内設した不図示のクラッチ機構の断接動作によって停止と走行を切替え可能に構成する。
また、片側の走行支持輪２ｂは、伸縮式のトレッド調節装置３によって伝動支持部２ｃの位置を車幅方向に移動することにより、走行支持位置を車幅方向に変更可能に構成する。
【００２４】
ゲージ輪４は、畝溝に広がる茎葉部を踏まないように引起こすゲージ輪カバー４ａを備えた従動輪によって機体の先端を支持し、支持高さを変更可能に構成する。
引起装置５は、複数の周回ラグ機構５ａ…を並行に起立して構成し、収穫搬送線を挟んでそれぞれの前側を上昇方向に周回動作させることにより、植付条の側方に広がる作物の茎葉部を掬い上げる。
【００２５】
引抜搬送装置６は、対向動作する二つの周回ベルト６ａ，６ａを後ろ上がりに傾斜して配置することにより、双方の対向部間に作物の茎葉部を挟持しつつ上昇搬送可能に構成する。この引抜搬送装置６の前端部には、対向動作する二つの周回ラグ６ｂ，６ｂによる掻込機構を備えて二条分の作物の茎葉部を中央に集め、また、後段部には、肩高さを揃えて作物を引き継いで茎葉部を切断搬送するタッピング機構６ｃと、切断した茎葉部を側方に排出する排葉搬送ベルト６ｄを備える。
操縦部７には、駆動装置７ａと機体操作用のハンドル７ｂおよび機器の操作部を備えて走行と収穫の機器を操作可能に構成する。
【００２６】
（スタンド）
スタンド８は、操縦部７において原動機と一体構成で変速伝動出力する駆動装置７ａのフレームにスタンド支軸８ａを設け、このスタンド支軸８ａにより車幅方向の軸線について回動して接地可能に軸支し、ハンドル７ｂに保持する。その長さは、図２にスタンドと畝との関係を表した機体正面図を示すように、接地時の沈み込みによっても調節対象の走行支持輪２ｂのタイヤが走行路面から浮くように、タマネギ等の作物が植えてある深さ以上の揚程を確保して機体を高位支持可能な長さに設定する。スタンド８の位置は、トレッド調節装置３によって移動可能な片側の走行支持輪２ｂの側で、隣接する作物と接触しないように、２条と３条の間に配置する。
【００２７】
細部構成について説明すると、スタンド８の下端には、抵抗の小さい丸パイプを曲げ加工した接地部材を設け、この接地部材は、接地させる際の抵抗を軽減するために、接地状態でその前側に車輪状の円弧部８ｂを回動軌跡に沿って形成し、また、後側には、沈みを抑えるように円弧部８ｂの接地幅より大きい拡幅部８ｃを形成するとともに足踏み操作で接地角度位置までスタンド８を回動させるためのペダル状の接地操作部８ｄを設ける。
【００２８】
スタンド８の基部には、必要により、接地角度位置と非接地角度位置にそれぞれ安定して保持するために、両角度位置の間を可動範囲として支点越え支持したスプリング８ｅによって両角度位置に切替え保持する弾性保持機構を設ける。非接地角度位置における高さは、畝上に置かれた収穫作物に当たらないように、茎葉長さと畝間溝の深さの合計値以上に設定する。
【００２９】
また、スタンド８の回動を検出するためのスタンド角度検出部を設けてスタンドが接地角度位置の時にエンジンを停止するエンジン用のスタンド連係部を設け、または、駆動装置７ａに内設されている走行用クラッチを切側に切替えるクラッチ用のスタンド連係部を設ける。
【００３０】
（機器動作）
上述の構成による作物収穫機１は、ゲージ輪４によって機体先端の高さを収穫高さに合わせた上で、左右の走行支持輪２ａ，２ｂにより畝を跨いで走行することにより、引起装置５が二条分のタマネギの茎葉部を引起こし、次いで、対向する周回ラグ６ｂ，６ｂが中央の収穫搬送線位置にタマネギの茎葉部を集め、この茎葉部を挟持して引上げる引抜搬送装置６によってタマネギが引き抜かれ、後段のタッピング機構６ｃによって肩高さを揃えて茎葉部を切断しつつ排葉搬送ベルト６ｄによって側方に排出する。
【００３１】
この収穫走行の途中に於いて、畝の端が崩れていたり、畝の幅が途中で変化している圃場状況によりトレッド調節を行う場合は、非接地角度位置に保持されているスタンド８の接地操作部８ｄを作業者が足踏み操作によって接地角度位置に回動しつつ、機体を後方に引き戻すように操作することにより、調節対象の走行支持輪２ｂのタイヤが走行路面から浮き上がるとともに、エンジン用のスタンド連係部による場合にあっては、自動的にエンジンが停止することから、この状態でトレッド調節装置３によって伝動支持部２ｃの位置を車幅方向に移動して畝幅に合わせることができる。
【００３２】
トレッド調節後は、機体を前方に押し出すことによってスタンド８がスプリング８ｅによって非接地角度位置に保持されることから、エンジンの起動によってその地点から畝幅に合わせて収穫作業を再開することにより、作物の収穫作業を継続することができる。
【００３３】
この場合において、上記スタンド連係部の代わりにクラッチ用のスタンド連係部を適用した場合は、スタンド８を接地角度位置に回動すると自動的に走行用クラッチが切側に切替えられることから、前記同様にしてトレッド調節を行うことができ、さらに、トレッド調節の後に、機体を前方に押し出すことによってスタンド８がスプリング８ｅによって非接地角度位置に保持されるとともに、走行用クラッチが接側に切替えられて自動的に作業走行を再開することができる。
【００３４】
以上に述べたスタンド８は、図３の平面図（ａ）および側面図（ｂ）に示す引起こしラグ４ｂを備える作物収穫機についても同様に適用することができる。また、上記スタンド８については、図４に側面図（ａ）と背面図（ｂ）を示すように、前側を直線部８ｆとしてもよい。
【００３５】
（別構成例）
次に、別構成の作物収穫機１０のスタンドについて説明する。
作物収穫機１０は、図５に平面図（ａ）および側面図（ｂ）を示すように、トレッド調節装置３の側に操縦部７を配置することにより、機体後端まで直線状の収穫搬送線を確保した上で、引抜搬送装置６から肩高さを揃えつつ作物を引き継いでその茎葉部を切断搬送するタッピング装置１１を設け、このタッピング装置１１の排出端を走行支持輪２ａ，２ｂの後端より後方位置に構成する。
【００３６】
また、車幅方向のスタンド支軸１２ａを設けて機体を高位支持する接地角度位置まで回動可能にステップ状のスタンド１２をその前端で軸支するとともに、作業者用のステップとして水平角度位置で固定するためのロック機構１２ｂを設けることにより、操縦部７の近傍にハンドル７ｂの後端位置までの範囲内でコンパクトなステップとして機能するスタンド１２を設ける。
【００３７】
このように構成した作物収穫機１０は、切断された茎葉部が走行支持輪２ａ，２ｂより後方位置に排出されて走行支持輪２ａ，２ｂに対する茎葉部の絡み付きが抑えられるので、絡み付いた茎葉部の除去作業等の走行支持輪のメンテナンス負荷を緩和することができる。
また、ステップ兼用のスタンド１２を水平角度位置に保持することにより、簡易乗用型の作物収穫機として収穫走行が可能となるとともに、トレッド調節時は、スタンド１２の回動操作により機体を高位保持してその場でトレッド調節作業ができるので、トレッド調節によってその場から収穫作業を再開することができる。
【００３８】
（マルチ集束装置）
次に、作物収穫機に設けたマルチ集束装置について説明する。
マルチ集束装置２１は、図６にマルチ集束装置の要部斜視図を示すように、タッピング装置１１の排出端からマルチフィルムＦを受けて後方に搬送する車幅方向軸を有する水平ローラ列によるローラコンベヤ２２と、このローラコンベヤ２２によって搬送されるマルチフィルムＦの外側端を幅寄せ集束するように順次搬送案内する縦軸ローラ列２３と、その終端位置で幅寄せ集束されたマルチフィルムＦを上下に挟んで送り出す排出駆動ローラ対２４と、ローラコンベヤ２２の始端の幅寄せ上手端から終端の幅寄せ下手端に至る直線の範囲に配置したゴミ排出用のブラシ２５とによって構成する。
【００３９】
縦軸ローラ列２３を構成する個々のローラ２３ａは、図７（ａ）に要部斜視図を示すように、ローラコンベヤ２２を構成する水平ローラ列の個々のローラ２２ａの端部に形成した穴を支点に回動可能に構成し、回動部には
、スプリング等の弾性体２３ｂを取付け、かつ、ストッパ２３ｃを取付けることで回動範囲を規制する。
【００４０】
排出駆動ローラ対２４は、マルチフィルムＦを集束状態で確実に送り出すために、上下のそれぞれのローラ２４ａ，２４ａの表面にゴム等の摩擦材を貼り付け、かつ、チェーン、ベルト等の無端伝動部材２４ｂによって対向動作方向に上下の両ローラ２４ａ，２４ａを駆動する。
【００４１】
上記構成のマルチ集束装置２１は、作物収穫機の部分断面による要部平面図（ａ）および同様の側面図（ｂ）を図８に示すように、４条植えの畝幅の片半分の２条分について収穫走行する際に、タッピング装置１１の後端からマルチフィルムＦを水平ローラ列によるローラコンベヤ２２に受けて後方に搬送するとともに、このローラコンベヤ２２によって搬送されるマルチフィルムＦの外側端を縦軸ローラ列２３によって幅寄せ集束するように畝幅の中央近傍位置まで順次搬送案内し、このとき、マルチフィルムＦ上のゴミがブラシ２５によって排出され、その終端位置で幅寄せ集束されたマルチフィルムＦを排出駆動ローラ対２４が上下に挟んで機体後方に送り出すことにより、畝幅の中央近傍位置にマルチフィルムＦを集束することができる。
【００４２】
また、図９に作物収穫機の要部正面図を示すように、ゲージ輪４の後部位置に畝の側面に沿って回転可能なローラ３１を設けることにより、マルチフィルムＦを圃場面から浮き上がらせることができる。このローラ３１は、上部を広く、下部を狭く形成し、かつ、振動可能に支持することにより、畝の側面の土を落とし易く構成する。
【００４３】
（構成の要点）
上記構成の野菜収穫機について構成の要点をまとめると、以下のとおりである。
第１には、畝Ｕを跨いで圃場走行可能に機体を支持する左右の走行支持輪２ａ，２ｂと、これら左右の走行支持輪２ａ，２ｂの支持幅を変更するトレッド調節装置３と、機体先端に配置した引起装置５と、上記走行支持輪２ａ，２ｂの左右間に配置した引抜搬送装置６と、機体後部に配置した操縦部７とを備える作物収穫機において、上記機体を高位に保持するように接地支持可能なスタンド８と、このスタンド８を車幅方向の軸線について回動可能に軸支するスタンド支軸８ａとを設けることにより、機体が高位に保持される角度位置までスタンド８を回動すると、トレッド調節装置３による走行支持輪２ａ，２ｂの移動調節が接地負荷なしに操作可能となるので、その場においてトレッド調節が可能となり、また、スタンド８を解除角度位置まで回動することにより機体の高位保持が解除されて走行支持輪２ａ，２ｂが接地し、調節幅による収穫走行が可能となる。
したがって、畝の崩れや畝幅変動に応じて、トレッド調節のための走行移動を要することなく、スタンドを回動する簡易な操作によってその地点から畝巾に対応した新たな調節幅で収穫走行を再開することができるので、速やかに作物の収穫作業を続行することができる。
【００４４】
第２には、スタンド８の接地端には、その前側に円弧状接地部８ｂを回動軌跡に沿って形成し、かつ、後側に円弧状接地部８ｂの接地幅より大きい拡幅接地部８ｃを形成するとともに、ペダル状の接地操作部８ｄを設けることにより、作業者がペダル状の接地操作部８ｄを介してスタンド８を接地操作すると、スタンド８の回動によって機体を容易に高位保持してトレッド調節のための準備ができるので、作業能率が向上する。
また、スタンド８の接地部のうち、前側に円弧状接地部８ｂを形成したことから、圃場面にスタンド８が接触する際の抵抗を小さくすることができるので、後側の接地操作部８ｄと合わせてスタンド８の接地操作が容易に行えるとともに、接地幅が大きい後側の拡幅接地部８ｃによって広い接地面が確保されるので、スタンド８が土中に沈みにくくなり、確実に走行支持輪２ａ，２ｂを浮かせて安定してトレッド調節が行え、作業能率が向上する。
【００４５】
第３には、スタンド８は、接地角度位置と非接地角度位置との間を可動範囲とする支点越えスプリング８ｅによって両角度位置に切替え保持する弾性保持機構を備えることにより、スタンド８は、支点越えスプリング８ｅにより接地角度位置と非接地角度位置に択一的に弾性保持されることから、走行中におけるスタンド８の不安定な回動を防止できるので、作業者はスタンド８との接触を気にすることなく作業することができ、作業能率や操作性が向上する。
また、スタンド８を接地側に回動すると接地角度位置で安定して保持され、この状態で機体を前進させるとスタンド８が戻されて非接地角度位置に回動保持され、このように、機体の前後進操作に伴ってスタンド８の接地及び非接地の状態が切り替えられることから、作業者が誤ってスタンド８に触れて接地状態または非接地状態が解除されることが防止されるので、トレッド調節中は非接地の走行支持輪２ａ，２ｂが接地することがなく、トレッド調節装置３の破損や停止が防止されると共に、トレッド調節作業の能率が向上する。
【００４６】
第４には、スタンド８の回動を検出するためのスタンド角度検出部と、このスタンド角度検出部により前記スタンド８が接地角度位置にあることを条件にエンジンを停止するスタンド連係部を設けることにより、スタンド８を接地角度位置に回動すると自動的にエンジンが停止することから、機体の前進に伴うスタンド８の接地解除を防止できるので、確実にトレッド調節が行えるため、作業能率が向上する。
【００４７】
第５には、スタンド８の回動を検出するためのスタンド角度検出部と、このスタンド角度検出部により前記スタンド８が接地角度位置にあることを条件に左右の走行支持輪２ａ，２ｂに対する伝動を断接する走行用クラッチを切側に切替えるスタンド連係部を設けたことから、このスタンド連係部により、スタンド８を接地角度位置に回動すると自動的に走行用クラッチが切側に切替えられることから、機体の前進に伴うスタンド８の接地解除を防止できるので、確実にトレッド調節が行えるため、作業能率が向上する。
また、機体を前進させてスタンド８を非接地角度位置に回動すると、走行用クラッチについての特段の操作を要することなく走行用クラッチが切替えられて自動的に左右の走行支持輪２ａ，２ｂに駆動力が供給されることから、作業能率や機体の操作性を向上することができる。
【００４８】
第６には、左右の走行支持輪２ａ，２ｂは、その片側をトレッド調節装置３によって移動可能に構成し、この走行支持輪２ａ，２ｂの側に寄せてスタンド８を配置することにより、スタンド８の回動操作によってその側の走行支持輪２ａ，２ｂを浮かせやすくなるので、トレッド調節作業が容易になり、作業能率が向上する。
【００４９】
第７には、引抜搬送装置６から作物を引き継いでその茎葉部を切除するタッピング装置１１を設け、このタッピング装置１１の側方に前記操縦部７を配置するとともに、上記タッピング装置１１の排出端を前記走行支持輪２ａ，２ｂの後端より後方位置に形成することにより、茎葉部が走行支持輪２ａ，２ｂより後方位置に排出されて走行支持輪２ａ，２ｂに対する茎葉部の絡み付きが抑えられるので、絡み付いた茎葉部の除去作業等の走行支持輪２ａ，２ｂのメンテナンス負荷を緩和することができる。
【符号の説明】
【００５０】
１      作物収穫機
２ａ    走行支持輪
２ｂ    走行支持輪
３      トレッド調節装置
５      引起装置
６      引抜搬送装置
７      操縦部
８      スタンド
８ａ    スタンド支軸
８ｂ    円弧部
８ｃ    拡幅部
８ｄ    接地操作部
８ｅ    スプリング
１０    作物収穫機
１１    タッピング装置
１２    スタンド
１２ａ  スタンド支軸
１２ｂ  ロック機構
Ｕ      畝
【図１】
2013226110.tif 000003
【図２】
2013226110.tif 000004
【図３】
2013226110.tif 000005
【図４】
2013226110.tif 000006
【図５】
2013226110.tif 000007
【図６】
2013226110.tif 000008
【図７】
2013226110.tif 000009
【図８】
2013226110.tif 000010
【図９】
2013226110.tif 000011